(57)【要約】【課題】接着剤を細部まで均一に早く塗布することのできる手袋及び指サックを提供する。【解決手段】シリコーン樹脂などの柔軟性且つ液体不透過性の生地からなり、ヒトの手の指を覆うことのできる袋状部４と、金属などの前記生地よりも剛性の高い板材からなり、一端が袋状部４における前記指の末節の外面に固定され、他端が自由にされているへら３とを備え、  前記へら３が、指の伸びる方向中間部で鈍角をなすように曲げられていることを特徴とする。【選択図】図１
2013007140.tif 000002
【特許請求の範囲】
【請求項１】
柔軟性且つ液体不透過性の生地からなり、ヒトの手の指を覆うことのできる袋状部と、
前記生地よりも剛性の高い板材からなり、一端が袋状部における前記指の末節の外面に固定され、他端が自由にされているへらとを備え、
前記へらが、指の伸びる方向中間部で鈍角をなすように曲げられていることを特徴とする接着剤塗布用手袋及び指サック。
【請求項２】
前記へらの自由端側の端面に同じ高さの複数の線状突起がへらの幅方向に並べて形成されている請求項１に記載の手袋及び指サック。
【請求項３】
前記へらの自由端は、幅方向両辺が互いに近づくように湾曲している請求項１又は２に記載の手袋及び指サック。
【請求項４】
前記へらの固定位置が前記指の末節の爪側であって、前記へらが指挿入時の袋状部に沿って前記鈍角をなすように曲げられている請求項１〜３のいずれかに記載の手袋及び指サック。
【請求項５】
前記へらの固定位置が前記指の末節の腹側であって、前記へらが袋状部から遠ざかる方向に前記鈍角をなすように曲げられている請求項１〜３のいずれかに記載の手袋及び指サック。
【発明の詳細な説明】
【技術分野】
【０００１】
この発明は、接着剤塗布用手袋及び指サックに関する。この手袋及び指サックは、特に医療用の接着剤を塗布するために好適に用いられる。
【背景技術】
【０００２】
外科手術では、創傷部や切開部を閉じるために縫合糸が一般的に用いられているが、手術時間を短縮する、抜糸を不要にする又は血管等の細部を接着する等の目的で、縫合に代えて又は縫合と併せてフィブリン糊などの生体適合性に優れた接着剤が塗布されることもある。接着剤を塗布する手段としては、接着剤をシリンジで加圧しノズルを通して噴霧する、スパチュラ（へら）で均す（特許文献１、実施例）などの方法が知られている。このうち、前者については、ノズルの詰まり防止のため、ノズル内に加圧エアーを送ることが提案されている（特許文献２）。
【先行技術文献】
【特許文献】
【０００３】
【特許文献１】特開２００５−３１２９３５号公報
【特許文献２】特開２００７−２５２８８０号公報
【発明の概要】
【発明が解決しようとする課題】
【０００４】
しかし、いずれの方法によっても、手ぶれが生じるなどのため、均一に塗布するのは難しく、硬化皮膜の外見が悪くなるばかりか、塗布されずに残ったり、全部位を塗布するのに長時間を要して患者に負担をかけることがある。
それ故、この発明の課題は、接着剤を細部まで均一に早く塗布することのできる手袋及び指サックを提供することにある。
【課題を解決するための手段】
【０００５】
その課題を解決するために、この発明の手袋及び指サックは、
柔軟性且つ液体不透過性の生地からなり、ヒトの手の指を覆うことのできる袋状部と、
前記生地よりも剛性の高い板材からなり、一端が袋状部における前記指の末節の外面に固定され、他端が自由にされているへらとを備え、
前記へらが、指の伸びる方向中間部で鈍角をなすように曲げられていることを特徴とする。
【０００６】
この発明の手袋及び指サックは通常、前記袋状部に人差し指または中指を挿入して用いられる。この発明によれば、袋状部は柔軟性且つ液体不透過性の生地からなるので、これに指を挿入しても、指の動きを抑制することなく接着剤による肌荒れから指を保護するとともに、指の菌等が患者の体に移るのを防ぐ。
【０００７】
そして、袋状部における前記指の末節の外面にへらの一端が固定されているので、指で直接塗布するのとほぼ同じ感覚で塗布できるうえ、そのへらが袋状部の生地よりも剛性の高い板材からなるので、患者の体から受ける反力に抗して接着剤を均すことができる。しかも前記へらが指の伸びる方向中間部で鈍角をなすように曲げられているので、指を寝かせた状態で接着剤の溜めを作ることができ、手ぶれを生じることなく、へらの自由端に過度な力が加わって患者の体を傷つけることもなく均一に塗り拡げやすい。また、必要に応じて親指または手首を患者の体に当てた状態でもへらの自由端が患者の体に接するので、親指や手首を支点としてへらの動きを一層安定させることができる。
【発明の効果】
【０００８】
以上のように、この発明の手袋及び指サックによれば、へらが指の一部であるのに近い感覚となるうえ、接着剤の溜めを作ることができるので、細部に至るまできれいに早く塗布することができる。従って、手術の信頼性も向上する。
【図面の簡単な説明】
【０００９】
【図１】実施形態１に係る手袋を示す平面図である。
【図２】図１におけるＸＸ断面図である。
【図３】実施形態１に係る手袋に用いられるへらのみを示す正面図である。
【図４】実施形態２に係る指サックを示す平面図である。
【図５】実施形態３に係る手袋または指サックに用いられるへらの幅方向断面図である。
【図６】実施形態４に係る手袋を示す要部断面図である。
【図７】実施形態５に係る指サックを示す平面図である。
【図８】実施形態６に係る指サックを示す平面図である。
【発明を実施するための形態】
【００１０】
−実施形態１−
この発明の実施形態を図面とともに説明する。手袋１は、図１に平面図で示すように、ヒトの手の形状をした本体２と、へら３とを備える。本体２は、γ線、ＥＯＧまたは蒸気で滅菌済みまたは滅菌可能で柔軟性且つ液体不透過性の生地、例えばシリコーン樹脂などからなり、ヒトの手の指を各々覆うことのできる５本の袋状部４を有する。袋状部４の内面にはゴム製シート（図示省略）が貼り付けられている。以下、この実施形態で袋状部４というときは人差し指又は中指を覆う１本を言う。
【００１１】
へら３は、本体２と同じく滅菌済みまたは滅菌可能で、本体２の生地よりも剛性が高く、長さ５〜３０ｍｍ、幅５〜２０ｍｍ、厚さ０．１〜２ｍｍ（好ましくは０．５〜１ｍｍ）の板材、例えば金属、エンジニアリングプラスチックなどからなる。へら３は、図２にその長寸方向に沿う要部断面図として示すように、長寸方向中間部で鈍角をなすように前記板材を曲げ加工することにより形成されている。そして、へら３は、その長寸方向が指の伸びる方向と一致するように、その一端が袋状部４における人差し指の爪に対応する部分の外面に固定され、他端が自由にされている。曲げ位置から自由端までの長さは、３〜２０ｍｍである。
【００１２】
へら３の袋状部４への固定は、接着剤による接着、ナイロン糸等による縫い付けまたはこれらの組み合わせであってよい。へら３の固定位置及び曲げ加工位置は、袋状部４に人差し指を挿入した状態でへら３の前記鈍角をなす両面が袋状部４における爪対応部位と指先対応部位とにそれぞれ外接するように設計されている。へら３の自由端側の端面には、図３に正面図として示すように同じ高さの複数の線状突起５がへら３の幅方向に並べて形成されている。
【００１３】
手袋１を使用するときは、滅菌済みの本体２に手を入れ、袋状部４に人差し指を挿入する。そして、接着剤を患者の体の創傷部や切開部に垂らし、へら３で塗り拡げる。袋状部４が柔軟性の生地からなるので、塗布中に指の伸縮運動が抑制されることがない。また、同生地は液体不透過性でもあるので、接着剤による肌荒れから指が保護され、逆に指に雑菌が付いていたとしてもその菌が患者の体に移ることはない。袋状部４の内面のゴム製シートは、滑り止めとして機能する。
【００１４】
そして、袋状部４における人差し指の爪に対応する部分の外面にへら３の一端が固定されているので、指で直接塗布するのとほぼ同じ感覚で塗布できるうえ、そのへら３が袋状部４の生地よりも剛性の高い板材からなるので、患者の体から受ける反力に抗して接着剤を均すことができる。へら３の自由端に過度な力が加わったときは、患者の体から受ける反力によって図２に想像線で示すように弾性変形し、過剰の外力を緩和吸収するので、患者の体を傷つけることもない。
【００１５】
しかもへら３が指の伸びる方向中間部で鈍角をなすように曲げられているので、指を寝かせた状態で袋状部４の先端との間に接着剤の溜めＰを作ることができ、その結果、手ぶれを生じることなく、均一に塗り拡げることができる。接着剤の溜めＰは、へら３のストロークに伴って隣り合う突起５の間を通過することから、塗布厚さを制御することも可能である。また、塗布範囲が細部に亘るときなどは、親指または手首を患者の体に当てて、これらを支点とすることにより、へら３の動きを一層安定させながら、注意深く塗布するとよい。この場合でも、へら３が曲げられているので、容易に塗布できる。
【００１６】
−実施形態２−
この実施形態では実施形態１における手袋１に代わる指サック１１が、図４に平面図で示すようにへら３と単一の袋状部１４とを備える。へら３は実施形態１におけるものと同形同質であってよく、袋状部１４も本体２の一部ではなく単独で存在する他は実施形態１と同様であってよい。指サック１１は、指に直接被せても良いし、既製の手術用手袋のうえから重ねて装着しても良い。
【００１７】
−実施形態３−
この実施形態ではへら１３の自由端が実施形態１におけるへら３のそれと異なり、図５に幅方向断面図で示すように幅方向両辺が互いに近づくように湾曲している。その他の構成は、実施形態１の手袋１または実施形態２の指サック１１と同じである。へら１３の自由端が湾曲しているので、接着剤が硬化するまでの粘性が低い場合でも、所定外の部位に流出することがない。
【００１８】
−実施形態４−
この実施形態では手袋２１が実施形態１と同じく本体２及びへら２３を備える。本体２は実施形態１におけるものと同形同質であってよい。但し、へら２３は、実施形態１のへら３が袋状部４における爪に対応する部分の外面に固定されているのと異なり、図６に要部断面図で示すように、指の腹に対応する部分の外面に固定されている。そして、へら２３は、袋状部４から遠ざかる方向に鈍角をなすように曲げられている。
この手袋２１によれば、指の腹でへら２３を押さえることができ、このため、粘性の高い接着剤でも塗布することができる。
【００１９】
−実施形態５−
この実施形態では図７に平面図で示すように、実施形態２における指サック１１の袋状部１４の内側に紐６が取り付けられている。これにより、指サック１１の取り外しの際、紐６をつまんで指の先端方向に引っ張ることにより、接着剤に触れることなく容易に取り外すことができる。袋状部１１に代えて、実施形態１における手袋１の袋状部４に紐６が取り付けられていても同様である。
【００２０】
−実施形態６−
この実施形態では図８に平面図で示すように、実施形態２における指サック１１が滅菌された２枚のプラスチック製フィルム７、７にて真空包装されている。そして、袋状部１４の開口端付近の外面がフィルム７、７の内面と粘着剤８にて弱く接着されている。これにより、フィルム７、７を互いに引き離すと同時に袋状部１４がフィルム７、７に連れられて開くので、指を袋状部１５に挿入しやすい。指挿入後、フィルム７、７は袋状部１５から剥離することができる。
【００２１】
−接着剤に関して−
本発明の手袋及び指サックを用いて塗布する接着剤としては、従来の接着剤が使用できるが、手術で使用する観点から、医療用の接着剤が好ましい。医療用の接着剤としては、従来の液状である医療用接着剤が挙げられ、具体的には、フィブリン糊、ウレタンプレポリマー接着剤、シアノアクリレート接着剤、メチルメタクリレート接着剤、アルブミン系接着剤及びゼラチン系接着剤等が挙げられる。
フィブリン糊として、具体的には、ベリプラストＰ（製造販売元：ＣＳＬベーリング株式会社）、ボルヒール（製造販売元：財団法人化学及血清療法研究所）、ティシール（輸入販売元：バクスター株式会社）等が挙げられる。
ウレタンプレポリマー接着剤としては、例えば、特開昭６２−１４８６６６、特開昭６２−２９０４６５、特開平０１−２２７７６２、特開２００３−５５２８２８又は特開２００５−３１２９３５等に記載されているウレタンプレポリマーを含む医療用接着剤等が挙げられる。
シアノアクリレート接着剤として、具体的には、アロンアルファＡ「三共」（製造販売元：東亞合成株式会社）、ダーマボンド及びダーマボンドＨＶ（製造販売元：ジョンソン・エンド・ジョンソン株式会社）、ビオボンド（製造販売元：吉富製薬）等が挙げられる。
メチルメタクリレート接着剤として、具体的には、ＷＯ２００３／０８２９３１に記載の接着剤等が挙げられる。
アルブミン系接着剤として、具体的には、バイオグルー（外国製造元：ＣｒｙｏＬｉｆｅ，Ｉｎｃ．）等が挙げられる。
ゼラチン系接着剤として、具体的には、ＧＲＦグルー（製造販売元：日本ビー・エックス・アイ株式会社）等が挙げられる。
【００２２】
上記のうち、ウレタンプレポリマー接着剤は、硬化時に発泡するため、塗布した接着剤が不均一で厚いと、気泡が残存しがちであるが、本発明の手袋及び指サックを用いることで、均一に、さらに薄く塗布することができる。したがって、ウレタン皮膜に気泡が残存して皮膜が不透明となることなく、透明な皮膜を形成できる。また、発泡によるシーリング性能の低下もない。さらに、気泡の残存がないので、細菌が気泡に感染層をつくる心配がない。
【００２３】
塗布する接着剤は、通常、粘度が低いほど均一に塗り広げやすいが、本発明の手袋及び指サックによれば、粘度の高い接着剤においても、細部に至るまで均一に早く塗布することができる。特に、２５℃における粘度が、３，０００〜２００，０００ｍＰａ・ｓの接着剤に対して有効である。
【００２４】
粘度は、ＪＩＳ Ｋ７１１７−２：１９９９「プラスチック−液状、乳濁状又は分散状の樹脂−回転円時計による定せん断速度での粘度の測定方法」に準拠し回転粘度計｛たとえば、（株）トキメック製のＥＬ型粘度計及びＥＨ型粘度計｝を用いて測定される。
【符号の説明】
【００２５】
１、２１  手袋
１１  指サック
２  本体
３、１３、２３  へら
４、１４  袋状部
５  線状突起
６  紐
７  フィルム
８  粘着剤
【図１】
2013007140.tif 000003
【図２】
2013007140.tif 000004
【図３】
2013007140.tif 000005
【図４】
2013007140.tif 000006
【図５】
2013007140.tif 000007
【図６】
2013007140.tif 000008
【図７】
2013007140.tif 000009
【図８】
2013007140.tif 000010